(57)【要約】      （修正有）【課題】出窓の屋外側の中空部を有する窓枠下部に単に水抜き穴を開けただけでは水抜きの用をなさず、屋外側より風吹きつけることによる雨水等の逆入が原因で出窓に用いられた金網入りガラス、金属線入りガラスが錆割れする、合わせガラスが白濁する問題があった。水抜き穴からの水の逆入を抑制する簡便且つ費用がからず後付も可能な手段を提供する。【解決手段】屋外側の中空部８を有する窓枠下部７に、水抜き穴１０と連通する貫通穴１１を有する水の逆入防止治具１２を設置した出窓とする。貫通穴１１は、上部より下部が細くなっている、または途中がくびれ細くなっている。【選択図】図１
2009002001.tif 000002
【特許請求の範囲】
【請求項１】
中空部を有する窓枠下部に設けられた水抜き穴と連通する貫通穴を有することを特徴とする水の逆入防止治具。
【請求項２】
貫通穴が上部より下部が細くなっている、または途中がくびれ細くなっていることを特徴とする請求項１に記載の水の逆入防止治具。
【請求項３】
貫通穴の最大径が１０ｍｍ以上、３０ｍｍ以下で、最小径が３ｍｍ以上、１０ｍｍ以下であることを特徴とする請求項１または請求項２に記載の水の逆入防止治具。
【請求項４】
上部に板状部を有することを特徴とする請求項１乃至請求項３のいずれか１項に記載の水の逆入防止治具。
【請求項５】
貫通穴にネット、スポンジを取り付けたことを特徴とする請求項１乃至請求項４のいずれか１項に記載の水の逆入防止治具。
【請求項６】
請求項１乃至請求項４のいずれか１項に記載の水の逆入防止治具が、水抜き穴と溶接、ネジ留めまたは接着されて取り付けられていることを特徴とするガラス板が嵌め込まれ建物外壁に埋設された中空部を有する屋外側窓枠下部に水抜き穴を設けた出窓。
【請求項７】
嵌めこまれたガラス板が金網入りガラス板、金属線入りガラス板、合わせガラスおよびそれを用いた複層ガラスであることを特徴とする請求項６に記載の出窓。
【請求項８】
金網入りガラス板、金属線入りガラス板、合わせガラスおよびそれを用いた複層ガラスが中空部を有する窓枠内のセッテイングブロックを介して嵌めこまれていることを特徴とする請求項６または請求項７に記載の出窓。
【発明の詳細な説明】
【技術分野】
【０００１】
本発明は、中空部を有する窓枠からの水抜き手段に関する。特に、窓枠の屋外側下部に水抜き穴を設けた出窓に対して有効な水抜き手段に関する。
【背景技術】
【０００２】
金網入りガラス板、金属線入りガラス板の端面より結露水および漏水等が浸みこむと、端部の錆の発生による金属線材の膨張によるガラスの割れが発生することがある。また、合わせガラスに端面より結露水等の水が浸みこむと中間膜に端部より発泡や白濁が発生する。これら金網入りガラス板、金属線入りガラス板および合わせガラス等の加工ガラス、またはこれら加工ガラスを用いた複層ガラスは、中空部を有するアルミサッシ枠等からなる窓枠内のセッティングブロックで位置決めされることが多い。その際、アルミサッシ枠内に溜まった結露水等を抜くための水抜き穴がセッティングブロックを避けて設けられる。
【０００３】
このように、金網入りガラス板、金属線入りガラス板の錆の発生、合わせガラスの白濁の対策として、アルミサッシ枠等からなる窓枠下部、特に下面に切り欠き部または穴等の水抜き手段を設け、窓枠下部の中空部内に溜まる結露水および漏水等の水抜きが行われている。
【０００４】
窓枠下部から速やかに水抜きを行うための窓枠下部の中空部を複雑な構造とすることで水抜きを行うことが提案されている。例えば、特許文献１の改装窓には、既設下枠と新設下枠の間に入り込んだ漏水や結露水等を容易に排水することができるアルミ製の既設窓枠下部の構造が開示されている。また、特許文献２の建築物の出窓には窓枠の下枠に雨水、結露水等を下方に排出するための水抜き手段として水抜き穴が設けられ、出窓本体保持部材の先端部下面にも水抜き穴が設けられている。しかし、これら改装窓および建築物の出窓の窓枠の構造は複雑であり、製作および施工が容易といえるものではない。
【特許文献１】特開平９−１３７９６号公報
【特許文献２】特開平８−１３９２９号公報
【発明の開示】
【発明が解決しようとする課題】
【０００５】
屋外側の窓枠下部に単に水抜き穴を設けると、外部からの風の吹きつけ等で逆に水抜き穴から雨、雪等が入り込むこと、言い換えれば、水が逆入することがある。特に、屋外に面する建築用の出窓において、顕著である。
【０００６】
特に冬場、風が強く結露が発生する日本海側または北海道等の寒冷地の出窓においては、単に水抜き穴を開けただけでは水抜きの用をなさず、前述の水の逆入が原因で出窓に用いられた金網入りガラス、金属線入りガラスが錆割れする、合わせガラスが白濁する問題があった。
【０００７】
これらの加工板ガラスおよびそれを用いた複層ガラスは、窓枠にセッティングする際、中空部を有する窓枠を用い窓枠中空部に入れたセッティングブロックを介して窓枠に取り付けることが多く、例え防錆防止および白濁防止のため、シリコーンオイル等の防錆剤の塗布、シリコーンシーラント等のシーラント剤の塗布等の端面処理を行ったとしても、前述の水の逆入により端面に水がかかり錆および白濁の発生により端面より劣化する懸念がある。
【０００８】
逆入する水にはゴミが含まれ、建物が海岸地方にあれば塩分が含まれ、金網入りガラス、金属線入りガラスおよび合わせガラス等の加工ガラスにおいて前記劣化は促進され、特に外側のガラスに金網入りガラスを用いた複層ガラスにおいては顕著である。
【０００９】
本発明は、これら問題を解決するため、水抜き穴からの水の逆入を抑制する簡便且つ費用がからず後付も可能な水抜き手段を提供することを目的とする。
【課題を解決するための手段】
【００１０】
中空部を有する窓枠下部に単に水抜き穴をあけることだけでは、前述の水の逆入を防止できない。よって、本発明において、水抜き穴と連通する貫通穴を有する水の逆入防止治具を水抜き穴に取り付ける。
【００１１】
前述の水の逆入防止治具は、貫通穴を円筒状とし下部開口部にゴミの侵入を防止するネット、スポンジ等を取り付けるのみでも効果があるが、水抜き穴と連通させる貫通穴が該治具の上部より下部が細くなっている形状または貫通穴途中がオリフィス状にくびれ細くなった形状であると逆流防止の一層の効果があり好ましい。例えば、上部開口部が下部開口部より大きい、笛の口先のような形状、または上部から下部に行くに従い連続的に細くなり、三角錐台の形状になっていれば、窓枠内の中空部に溜まった水が重力により速やかに排出され、下部開口部が小さくなることにより外壁への風の吹きつけにより雨水または雪等が浸入する量が少なくなる。尚、貫通穴の途中がオリフィス状にくびれ細くなった形状であると、下部開口部にゴミの侵入を防止するネット、スポンジ等を取り付ける際は、その取り付け、取り替えが簡便となる。
【００１２】
前記貫通穴は、矩形等の形状も考えられるが、好ましくは断面が円形である方が加工し易い。この際、貫通穴の最大径は１０ｍｍ以上、３０ｍｍ以下であり、貫通穴の最小径は３ｍｍ以上、１０ｍｍ以下である。
【００１３】
本発明の水の逆入防止治具が好適に使用されるのは、窓枠にガラス板が固定された固定窓としての出窓である。出窓において、屋外側の窓枠の貫通穴の最大径を３０ｍｍより大きくすることは通常なく、最大径が１０ｍｍより小さいと水抜きの効果が小さい。最小径が１０ｍｍより大きいと、前述の水の逆入防止の効果が小さく、３ｍｍより小さいとゴミ等により水抜き穴が詰まりやすく水抜き穴の用をなさなくなる。
【００１４】
また、本発明の水の逆入防止治具の上部に取り付け用の板状部が有れば、窓枠下部への接着、ネジ留めも可能である。
【００１５】
即ち、本発明は、中空部を有する窓枠下部に設けられた水抜き穴と連通する貫通穴を有することを特徴とする水の逆入を防止するための治具、即ち、水の逆入防止治具である。
【００１６】
さらに、本発明は、貫通穴が上部より下部が細くなっている、または途中がくびれ細くなっていることを特徴とする上記の水の逆入防止治具である。
【００１７】
さらに、本発明は、貫通穴の最大径が１０ｍｍ以上、３０ｍｍ以下で、最小径が３ｍｍ以上、１０ｍｍ以下であることを特徴とする上記の水の逆入防止治具である。
【００１８】
さらに、本発明は、上部に板状部を有することを特徴とする上記の水の逆入防止治具である。
【００１９】
さらに、本発明は、貫通穴にネット、スポンジを取り付けたことを特徴とする上記の水の逆入防止治具である。
【００２０】
上記の水の逆入防止治具を、中空部を有する窓枠下部に設けられた水抜き穴と連通させる際の取り付け方法は、窓枠がアルミサッシ枠、水の逆入防止治具がアルミニウム製であれば、溶接すれば、外観が綺麗であり、高級感を損なわない。
【００２１】
水の逆入防止治具を接着成型が容易なプラスチック製とすることも可能であり、耐侯性に優れるポリメチルメタアクリレート、塩ビ等を用いれば、透明な治具、着色された治具とすることも可能で装飾性に優れる。
【００２２】
また、本発明の水の逆入防止治具の材質に関わらず、その上部に取り付け用の板状部を設ければ、窓枠下部に設けられた水抜き穴と水の逆入防止治具の貫通穴が連通させるように水の逆入防止治具をネジ留めすることが可能である。このように、施工済の出窓の水抜き穴と連通するようにネジ留めすることで、水の逆入防止治具が容易に後付される。また、外れることなく丈夫であれば、窓枠下部の窓枠下部に設けられた水抜き穴と水の逆入防止治具の貫通穴が連通するように、接着剤で固着させることも可能である。
【００２３】
前述のように固定窓としての出窓に嵌め込まれるガラス板が金網入りガラス板、金属線入りガラス板、合わせガラスまたは複層ガラス、特に金網入りガラス板、金属線入りガラス板、合わせガラスを用いた複層ガラスであるときに、金網入りガラス板、金属線入りガラス板、合わせガラスの端面に水が接触することによる、前述の劣化、不具合が発生するのを抑制する最大の効果を発揮する。
【００２４】
また、本発明は、上記の水の逆入防止治具が、水抜き穴と溶接、接着またはネジ留めされて取り付けられていることを特徴とするガラス板が嵌め込まれ建物外壁に埋設された中空部を有する屋外側窓枠下部に水抜き穴を設けた出窓である。
【００２５】
さらに、本発明は、嵌め込まれたガラス板が金網入りガラス板、金属線入りガラス板、合わせガラスおよびそれを用いた複層ガラスであることを特徴とする上記の出窓である。
【００２６】
尚、これら金網入りガラス板、金属線入りガラス板および合わせガラス等の加工ガラス、またはこれら加工ガラスを用いた複層ガラスは、中空部を有するアルミサッシ枠等からなる窓枠下部内に入れた、例えば、塩化ビニール樹脂、ゴムの直方体であるセッティングブロックに載せて位置決めされることが多い。このようにして、セッティングブロックを介して窓枠に嵌め込まれる。尚、その際、水抜き穴は塞がれることなきよう、セッティングブロックを避けた位置に設けられる。
【００２７】
さらに、本発明は、金網入りガラス板、金属線入りガラス板、合わせガラスおよびそれを用いた複層ガラスが中空部を有する窓枠内のセッティングブロックを介して嵌め込まれていることを特徴とする上記の出窓である。
【００２８】
この際セッティングブロックの高さが３ｍｍ以上であれば、水は速やかに排出される。窓枠の厚みを考えれば、セッティングブロックが、３０ｍｍより、高くなることはない。本発明の出窓において、セッティングブロックの高さは３ｍｍ以上、３０ｍｍ以下であることがこのましい。
【発明の効果】
【００２９】
出窓の屋外側の中空部を有する窓枠下部に単に水抜き穴を開けただけでは水抜きの用をなさず、屋外側より風が吹きつけることによる雨水等の逆入が原因で出窓に用いられた金網入りガラス、金属線入りガラスが錆割れする、合わせガラスが白濁する問題があった。これらの加工板ガラスは、窓枠にセッティングする際に中空部を有する窓枠を用い、中空部内のセッティングブロックを介して窓枠に取り付けるが多く、端面処理を行ったとしても、前述の水の逆入により端面に水がかかり劣化が促進される。逆入する水にはゴミが含まれ、建物が海岸地方であれば塩分が含まれ前記劣化は促進される。
【００３０】
本発明の水の逆入防止治具を出窓等の屋外側下部の水抜き穴に取り付けることにより、水抜き穴からの水の逆入を抑制し、出窓等に用いられる金網入りガラス、金属線入りガラスが錆割れする、合わせガラスが白濁する問題を解決した。
【００３１】
また、本発明の水の逆入防止治具の上部に取り付け用の板状部が有れば、窓枠下部への接着、ネジ留めも可能であり、施工済の出窓の水抜き穴に接着、ネジ留めし、後付が容易である。
【発明を実施するための最良の形態】
【００３２】
以下、本発明の実施の形態を図に基づいて説明する。
【００３３】
図１は、本発明の水の逆入防止治具を取り付けた出窓の一例の断面図である。
【００３４】
図１に示すように、複層ガラス１は、網入りガラス２とガラス板３を、乾燥剤４としてのゼオライトまたはシリカゲル等を内部に充填したアルミスペーサー５とをブチルゴム接着剤等で接着し、アルミスペーサー５の外周および網入りガラス端部をシリコーンシーラント等の封止材６により覆った構造である。封止材６は、図１に示すような円弧状または、網入りガラス端部で均等な厚みを持たせるように、網入りガラス端部に矩形となるように盛った状態で封止する。複層ガラス１は、中空部を有するアルミサッシ枠等の窓枠７の中空部８に、点線で示したセッティングブロック上に置かれた状態で嵌め込まれている。また複層ガラス１の窓枠７の隙間はシリコーンシーラント等の封止材６により密閉されている。窓枠７は建物外壁９に埋め込まれている。
【００３５】
本発明の出窓には、窓枠７下部に設けられた水抜き穴１０と連通するように、貫通穴１１を有する水の逆入防止治具１２を設ける。尚、水抜き穴１０は、塞がれることなきようセッティングブロックを避けた位置に設けられる。
【００３６】
図２の（Ａ）、（Ｂ）、（Ｃ）、（Ｄ）は、各々、本発明の水の逆入防止治具の断面図の一例である。各々の水の逆入防止治具１２は本発明の出窓に好適に使用される。水の逆入防止治具１２は図２の（Ａ）に示すように、貫通穴１１を円筒状とし、その下部開口部１３にゴミの侵入を防止するネット、スポンジ１４を取り付けるだけでも水の逆入防止の効果はあるが、（Ｂ）に示すように、水の逆入防止のために貫通穴１１の上部開口部１５が下部開口部１３より大きい笛の様な形状、（Ｃ）に示すように、貫通穴１１が上部から下部に行くに従い連続的に細くなり、三角錐台の形状になっていれば、窓枠７内の中空部８に溜まった水が重力により速やかに排出され、下部開口部１３が小さくなることにより外壁への風の吹きつけにより雨水または雪等が貫通穴１１に浸入する量が少なくなる。また、（Ｄ）に示すように、貫通穴１１の途中がオリフィス状にくびれ細くなった形状であると、下部開口部１３にゴミの侵入を防止するネット、スポンジ１４等を取り付ける際は、その取り付け、取り替えが容易となる。
【００３７】
図３の（Ａ）、（Ｂ）、（Ｃ）、（Ｄ）は、各々、上部に板状部を取り付けた本発明の水の逆入防止治具の一例の断面図である。
【００３８】
図３の（Ａ）、（Ｂ）、（Ｃ）、（Ｄ）に示すように、これら水の逆入防止治具１２の上部に窓枠７下部に取り付け用の板状部１６を設ければ、窓枠７下部に設けられた水抜き穴１０と水の逆入防止治具１２の貫通穴１１が連通させるように水の逆入防止治具１２をネジ留めすることが可能である。その際はネジ穴１７を設ける。このように、施工済の出窓の水抜き穴１０にネジ留めすることで、水の逆入防止治具１２が容易に後付される。また、外れることなく丈夫であれば、窓枠７下部に設けられた水抜き穴１０と水の逆入防止治具１２の貫通穴１１が連通するように接着剤で固着させることも可能である。
【図面の簡単な説明】
【００３９】
【図１】本発明の水の逆入防止治具を取り付けた出窓の一例の断面図である。
【図２】（Ａ）、（Ｂ）、（Ｃ）、（Ｄ）は、本発明の水の逆入防止治具の断面図の一例である。
【図３】（Ａ）、（Ｂ）、（Ｃ）、（Ｄ）は、上部に板状部を取り付けた本発明の水の逆入防止治具断面図の一例である。
【符号の説明】
【００４０】
１    複層ガラス
２    網入りガラス
３    ガラス板
４    乾燥剤
５    アルミスペーサー
６    封止材
７    窓枠
８    中空部
９    建物外壁
１０  水抜き穴
１１  貫通穴
１２  水の逆入防止治具
１３  下部開口部
１４  ネット、スポンジ
１５  上部開口部
１６  板状部
１７  ネジ穴
【図１】
2009002001.tif 000003
【図２】
2009002001.tif 000004
【図３】
2009002001.tif 000005